(57)【要約】【課題】  バリア羽根が開くことができない場合のレンズの損傷を高い精度で防ぐとともに、レンズ保持枠の強度の低下を抑える必要があった。【解決手段】  本発明のレンズ鏡筒（１１０）は、レンズ群が光軸方向に移動することで、繰り出し状態と沈胴状態とを変位するレンズ鏡筒であって、光軸と交差する方向に開閉するバリア羽根（３〜５）と、光軸方向に伸びた駆動部と延出部とを有するバリア駆動部材（２）と、バリア駆動部材を保持するバリア保持部材（１）と、レンズ群のうち最も被写体側のレンズを保持するレンズ保持部を有し、撮像素子側に深さをもった溝部と、溝部よりも被写体側に突出した当接部とがレンズの外側円周上に形成されるレンズ保持部材（８）を有し、バリア羽根が閉状態の時、延出部（２ｂ）と当接部（８ｄ）は互いに対向する位置関係となり、バリア羽根が開状態の時、延出部と当接部は互いに対向しない位置関係となることを特徴とする。【選択図】  図５
2014059364.tif 000002
【特許請求の範囲】
【請求項１】
撮影光学系をなすレンズが前記撮影光学系の光軸方向に移動することで、撮影可能な状態である繰り出し状態と撮影不可能な状態である沈胴状態とを変位するレンズ鏡筒であって、
前記光軸と交差する方向に開閉し、沈胴状態で閉状態となり繰り出し状態で開状態となるバリア羽根と、
前記光軸方向に伸びた駆動部と、前記光軸方向に伸びた延出部とを有するバリア駆動部材と、
前記バリア駆動部材を保持するバリア保持部材と、
前記レンズを保持するレンズ保持部を有し、光軸方向撮像素子側に深さをもった溝部と前記溝部よりも光軸方向被写体側に突出した当接部とが前記レンズの外側円周上に形成されるレンズ保持部材を有し、
前記バリア羽根が閉状態の時、前記延出部と前記当接部は互いに対向する位置関係となり、
前記バリア羽根が開状態の時、前記延出部と前記当接部は互いに対向しない位置関係となることを特徴とするレンズ鏡筒。
【請求項２】
前記沈胴状態から繰り出し状態に移動すると、前記バリア羽根と前記レンズが接触する前に、前記延出部と当接部とが当接することを特徴とする請求項１に記載のレンズ鏡筒。
【請求項３】
前記延出部は、前記レンズ鏡筒が繰り出し状態であってかつ前記バリア羽根が開状態の時は前記溝部に入り込み、前記レンズ鏡筒が沈胴状態であっての前記バリア羽根が閉状態の時、および前記レンズ鏡筒が繰り出し状態に変位しつつあるときであっても前記バリア羽根が閉状態である時は、前記延出部と前記当接部とが当接するもしくは互いに対向する位置関係となることを特徴とする請求項１または２に記載のレンズ鏡筒。
【請求項４】
前記当接部と前記保持部は、前記レンズ保持部材の径方向に重ならないように、前記レンズ保持部材の周方向に複数形成されていることを特徴とする請求項１ないし３の何れか１項に記載のレンズ鏡筒。
【請求項５】
前記当接部は、前記レンズの外側円周上に等しい間隔で複数形成されていることを特徴とする請求項１ないし４の何れか１項に記載のレンズ鏡筒。
【請求項６】
請求項１ないし５の何れか１項に記載のレンズ鏡筒を有する撮像装置。
【発明の詳細な説明】
【技術分野】
【０００１】
本発明は、特に光学レンズの前面を覆って保護するバリア装置を備えたレンズ鏡筒およびそれを備えた撮像装置に関するものである。
【背景技術】
【０００２】
近年、レンズの広角化のために、バリア羽根の開放位置において、最も光軸方向被写体側に配置された第１レンズが、光学レンズの前面を覆って保護するバリア羽根の移動領域まで光軸方向に侵入する機構が提案されている。
【０００３】
特許文献１では、バリア羽根が外力で押さえられるなどの原因によりバリア羽根の開放が出来ない場合に、第１レンズ保持枠とバリア駆動リングを接触させる構成が開示されている。
【先行技術文献】
【特許文献】
【０００４】
【特許文献１】特開２０１１−１５４１６９号公報
【発明の概要】
【発明が解決しようとする課題】
【０００５】
しかしながら、上述の特許文献１に開示された従来技術では、バリア駆動リングの駆動部を挿通させるために第１レンズ保持枠に設けられた円弧孔に隣接する面で、第１レンズ保持枠の円弧孔周囲をストッパとして利用している。第１レンズから径方向に大きく離れた位置で第１レンズ保持枠とバリア駆動リングが接触するため、当接面の精度が低下する恐れがある。  また、特許文献１では、第１レンズ保持枠の円弧孔周囲をストッパとして利用しているが、この円弧孔はバリア羽根の開閉に必要な角度分形成する必要がある。光軸に略平行な平面で第一レンズ保持枠とバリア駆動リングを当接させるには、光軸中心から等距離の複数箇所にストッパを形成する必要がある。以上より、第１レンズ保持枠に複数の大きい円弧孔を形成する必要があるため、第１レンズ保持枠の強度の低下が懸念される。（本実施例でも「一つ」の円弧孔は有しているため、先行技術に「複数」の円弧孔があることは先行技術との差異を述べる上で必須だと思います。）  そこで、本発明の目的は、撮影時に第１レンズがバリア開閉領域に侵入する構成のレンズ鏡筒において、外力などによってバリア羽根が開かない場合にレンズがバリアに接触することないレンズ鏡筒を提供することである。それとともに、レンズ保持枠の強度の低下を抑えることを可能にしたレンズ鏡筒を提供することである。
【課題を解決するための手段】
【０００６】
上記目的を達成するために、本発明は、撮影光学系をなすレンズが前記撮影光学系の光軸方向に移動することで、撮影可能な状態である繰り出し状態と撮影不可能な状態である沈胴状態とを変位するレンズ鏡筒であって、前記光軸と交差する方向に開閉し、沈胴状態で閉状態となり繰り出し状態で開状態となるバリア羽根と、前記光軸方向に伸びた駆動部と、前記光軸方向に伸びた延出部とを有するバリア駆動部材と、前記バリア駆動部材を保持するバリア保持部材と、前記レンズを保持するレンズ保持部を有し、光軸方向撮像素子側に深さをもった溝部と前記溝部よりも光軸方向被写体側に突出した当接部とが前記レンズの外側円周上に形成されるレンズ保持部材を有し、前記バリア羽根が閉状態の時、前記延出部と前記当接部は互いに対向する位置関係となり、前記バリア羽根が開状態の時、前記延出部と前記当接部は互いに対向しない位置関係となることを特徴とする。
【発明の効果】
【０００７】
そこで、本発明の目的は、撮影時に第１レンズがバリア開閉領域に侵入する構成のレンズ鏡筒において、外力などによってバリア羽根が開かない場合にレンズがバリア羽根に接触することのないレンズ鏡筒を提供することができる。それとともに、レンズ保持枠の強度の低下を抑えることを可能にしたレンズ鏡筒を提供することができる。
【図面の簡単な説明】
【０００８】
【図１】本実施形態に係るレンズ鏡筒を有する撮像装置の外観斜視図である。
【図２】本実施形態に係るレンズ鏡筒のうちバリア機構と１群レンズ鏡筒周辺の分解斜視図である。
【図３】本実施形態に係るレンズ鏡筒のうちバリア駆動リング２の斜視図である。
【図４】（ａ）本実施形態に係るレンズ鏡筒のうちバリア保持枠１の斜視図である。（ｂ）本実施形態に係るレンズ鏡筒のうちバリア保持枠１の光軸方向撮像素子側から見た図である。
【図５】本実施形態に係るレンズ鏡筒のうち第１レンズ保持枠８の斜視図である。
【図６】本実施形態に係るレンズ鏡筒の光軸を通る断面図である。
【図７】本実施形態に係るレンズ鏡筒のうちカム筒９の外周展開図である。
【図８】（ａ）本実施形態に係るレンズ鏡筒が沈胴状態のときの光軸方向被写体側から見たレンズ接触防止機構の断面図である。（ｂ）本実施形態に係るレンズ鏡筒の繰り出し状態（撮影可能状態）のときの光軸方向被写体側から見たレンズ接触防止機構の断面図である。
【発明を実施するための形態】
【０００９】
以下、本発明の実施例について、図１〜８を参照しながら詳細に説明する。
【００１０】
図１は本発明を実施したレンズ鏡筒を有する撮像装置としてのデジタルカメラ１００を説明する図である。図１は、撮影可能な状態の一例である電源オン状態を示している。この状態では、レンズ鏡筒１１０は繰り出し状態（撮影可能状態）となる。電源オフ状態や画像を再生する再生モードに設定した時には、レンズ鏡筒１１０は沈胴状態（撮影不可能状態）となる。
【００１１】
デジタルカメラ１００には、カメラ本体１０１に沈胴式のレンズ鏡筒１１０が設けられている。レンズ鏡筒１１０には撮影光学系をなすレンズ群がレンズの光軸方向に移動することで、撮影可能な状態である繰り出し状態と撮影不可能な状態である沈胴状態とを変位するレンズ鏡筒である。カメラ本体１０１には、メインスイッチ１０２、撮影スイッチ１０３（レリーズスイッチ）、ズームレバー１０７が配置されている。
【００１２】
メインスイッチ１０２は、電源のオン及びオフを切り替えるスイッチである。撮影スイッチ１０３は、半押し操作（ＳＷ１押下）によって測光、オートフォーカス（ＡＦ）などの撮影準備動作を行わせ、全押し操作（ＳＷ２押下）によって画像の撮影動作（いわゆる本露光）及び記録動作を行わせるスイッチである。フラッシュ部１０４は、暗いときに発光させるフラッシュである。さらに、カメラ本体１０１内には、レンズ鏡筒１１０の撮影光学系により形成された被写体像を光電変換するＣＣＤやＣＭＯＳセンサなどの撮像素子が搭載されている。
【００１３】
図２は、デジタルカメラ１００のレンズ鏡筒１１０のうち、バリア機構および１群レンズ鏡筒周辺の部材の分解斜視図である。本実施形態では、光軸方向被写体側を前側、光軸方向撮像素子側を後側あるいは像面側と記載する。
【００１４】
レンズ鏡筒１１０は、バリア保持枠１（バリア保持部材）、第１レンズ保持枠８（レンズ保持部材）、１群レンズとしての第１レンズ９、カム筒１０、バリア駆動リング２（バリア駆動部材）、バリア羽根３〜５、付勢部材６、バリアカバー７を備える。第１レンズ９は、バリア保持枠１に保持されていれば、レンズ群であっても１枚のレンズであっても良い。バリア羽根３，４，５はそれぞれ第１のバリア羽根３、第２のバリア羽根４、第３のバリア羽根５からなる。また、第１のバリア羽根３、第２のバリア羽根４、第３のバリア羽根５、ばねなどの付勢部材６は、それぞれ、１群レンズである第１レンズ９の光軸を中心に点対称に一対が配置される。
【００１５】
付勢部材６の付勢力によって、バリア駆動リング２はバリア羽根３〜５が閉じる方向に付勢されており、またバリア羽根３〜５が閉状態ではカム筒１０の作動壁１０ｃと当接した状態となっている。第１〜３のバリア羽根３〜５は、光軸と交差する方向に開閉し、レンズ鏡筒１１０の沈胴状態で閉状態となりレンズ鏡筒１１０の繰り出し状態で開状態となる。なお、本実施例においては、小型化の観点から第１〜３のバリア羽根３〜５は光軸と直交する方向に開閉するものとするが、設計によっては光軸に対して所定の角度傾いて開閉しても良い。
【００１６】
バリアカバー７は、レンズ鏡筒１１０の最も前側（光軸方向被写体側）に配置され、バリア保持枠１に固定されて、バリア羽根３〜５を保護している。また、バリアカバー７は、１群レンズである第１レンズ９を介して撮像素子に入射する光束を遮らないように開けられた光入射開口７ａを有する。
【００１７】
図３は、バリア駆動リング２の斜視図である。図３（ａ）は光軸方向被写体側（前側）から見た図で、図３（ｂ）は光軸方向撮像素子側（像面側）から見た図である。
【００１８】
バリア駆動部材としてのバリア駆動リング２は、バリア保持部材としてのバリア保持枠１に回転可能に保持される。バリア駆動リング２には、光軸方向の像面側に延出し、斜面形状（テーパ形状）にカットされたフォロアアーム２ａ（駆動部）が設けられる。駆動部としてのフォロアアーム２ａが、カム筒１０に設けられた回動当接部としての作動壁１０ｃ（図２に示されている）と接触する。そしてカム筒１０が回動することで、作動壁１０ｃと当接しているフォロアアーム２ａが回転し、バリア駆動リング２全体が回転する仕組みとなっている。この動作については後述する。
【００１９】
図３（ｂ）に示すように、バリア駆動リング２には、さらに、光軸方向の像面側に延出する延出部２ｂが複数設けられる。延出部２ｂの外周の一部にはバリア保持枠１との摺動面２ｂ１が複数形成される。摺動面２ｂ１は延出部２ｂの他の外周面に対し、凸形状となっている。また、延出部２ｂの像面側の端面には当接面２ｂ２が形成されるが、当接面２ｂ２の作用については後述する。
【００２０】
図４は、（ａ）が本発明の一実施の形態に係るバリア保持枠１の斜視図、及び（ｂ）が像面側から見た図である。バリア保持枠１には、バリア駆動リング２に設けられたフォロアアーム２ａが貫通する円弧孔１ａ、及び、バリア駆動リング２の摺動をガイドする延出部１ｂが設けられる。
【００２１】
バリア駆動リング２に形成されている摺動面２ｂ１が、バリア保持枠１の開口内周面に設けられた延出部１ｂに沿って摺動することにより、バリア駆動リング２が滑らかに回動できる。なお、本実施例においては、摺動面２ｂ１が周方向に間隔が等しくなるように６箇所形成されている。また、バリア保持枠１には、第１のバリア羽根３の回動軸が挿通される穴１ｃ、１ｄ及び、第３のバリア羽根５の回動穴を挿通する軸１ｅ、１ｆが設けられる。
【００２２】
図５は、本実施例に係る第１レンズ保持枠８の斜視図である。第１レンズ９は、レンズ保持部材である第１レンズ保持枠８の加締め部８ａを熱で加締めることにより保持される。第１レンズ保持枠８には、バリア駆動リング２に設けられたフォロアアーム２ａが貫通する貫通部としての円弧孔８ｂが設けられている。さらに、第１レンズ保持枠８には、侵入した異物（砂塵、ゴミなど）を像面側へと侵入させないための異物受け溝部８ｃが、第１レンズ保持部の外側円周上に光軸方向撮像素子側に深さをもって形成されている。
【００２３】
バリア駆動リング２の延出部２ｂ及びバリア保持枠１の延出部１ｂは、バリア羽根３〜５が開状態のときに異物受け溝部８ｃに挿入される。また、異物受け溝部８ｃの一部には、異物受け溝部８ｃよりも光軸方向に突出している当接部８ｄが、周方向に間隔が等しくなるように複数形成されている（本実施例では３箇所形成されている）。また、当接部８ｄは、フォロアアーム２ａが貫通する貫通部としての円弧孔８ｂよりも第１レンズ９の光軸中心に近い側に（鏡筒の径方向中心側に）複数形成されている。当接部８ｄの作用については後述する。
【００２４】
また、図５に示すように、第１レンズ保持枠８の加締め部８ａは当接部８ｄを除いた位置に形成されている。なぜなら当接部８ｄの内周にて第１レンズ９を保持した場合には、加締め部８ａが加熱された際に当接部８ｄにはみ出す可能性がある。この場合、第１レンズ保持枠８の当接部８ｄとバリア駆動リング２の当接面２ｂ２との距離が変化するため、後述するストッパ（レンズ接触防止機構）としての精度が低下する。よって、本実施例のように、当接部８ｄ以外の部分に加締め部８ａを形成することで、ストッパ（レンズ接触防止機構）としての精度の低下を防ぐことができる。
【００２５】
なお、本実施例ではレンズを加締めにより保持する構成について示したが、接着による保持を行っても問題はない。この場合、接着材が当接部８ｄにはみ出す可能性があり、後述するストッパ（レンズ接触防止機構）としての精度が低下することが起こりうるため、レンズ枠の当接部８ｄ以外の内周部にてレンズの接着を行うことが好ましい。
【００２６】
図６，７を用い、第１レンズ保持枠８及びバリア保持枠１の繰り出し機構について説明する。図６は鏡筒の光軸断面図である。図６（ａ）は鏡筒の沈胴状態の横断面図を示し、図６（ｂ）は繰り出し状態（バリア羽根の開状態）の横断面図を示し、図６（ｃ）は繰り出し状態（撮影可能状態）を示す。図７はカム筒１０の展開図であり、カム溝１０ａ，１０ｂの形状を表した図である。
【００２７】
バリア保持枠１は、レンズ鏡筒１１０の前端部（光軸方向被写体側）に配置される。バリア保持枠１の内周部には第１レンズ保持枠８が設けられ、第１レンズ保持枠８の内周部にはカム筒１０が配置される。
【００２８】
第１レンズ保持枠８の繰り出し機構について説明する。第１レンズ保持枠８に圧入されているフォロアピン１１がカム筒１０のカム溝１０ａに係合する。フォロアピン１１は、周方向に間隔が等しくなるように３箇所形成され、第１レンズ保持枠８に圧入されている。そして、不図示の駆動手段としてのズームモータにより、カム筒１０が回転駆動されることで、フォロアピン１１がカム溝１０ａをトレースして第１レンズ保持枠８がカム筒１０に対して相対的に移動する。さらに、第１レンズ保持枠８は、カム筒１０の内周に設けられた直進案内筒により回転方向の移動が規制されることで、光軸方向に直進移動する。
【００２９】
次に、バリア保持枠１の繰り出し機構について説明する。バリア保持枠１に圧入されているフォロアピン１２がカム筒１０のカム溝１０ｂに係合する。フォロアピン１２は、周方向に間隔が等しくなるように３箇所形成され、バリア保持枠１に圧入されている。そして、不図示の駆動手段としてのズームモータにより、カム筒１０が回転駆動されることで、フォロアピン１２がカム溝１０ｂをトレースしてバリア保持枠１がカム筒１０に対して相対的に移動する。さらに、バリア保持枠１は第１レンズ保持枠８に設けられた不図示の直進案内部により回転方向の移動が規制されることで光軸方向に直進移動する。
【００３０】
以上のように、第１レンズ保持枠８とバリア保持枠１が異なるカム溝に倣って光軸方向に直進移動する構成をとることにより、第１レンズ保持枠８とバリア保持枠１の相対位置を可変としている。
【００３１】
次に、カメラの電源がオフの状態から電源をオンした後の挙動について説明する。
【００３２】
まず、図６（ａ）から図６（ｂ）に至る過程、すなわち、鏡筒の沈胴状態（バリア羽根の閉状態）から撮影可能状態（バリア羽根の開状態）へ至る過程について説明する。
【００３３】
図６（ａ）に示すように、カメラの電源がオフの状態では、レンズ鏡筒１１０は沈胴状態となっていて、バリア羽根３〜５は閉状態となっている。この状態からメインスイッチ１０２をオンすると、不図示のズームモータによってカム筒１０が回転駆動され、バリア保持枠１は第１レンズ保持枠８に設けられた不図示の直進案内部により回転方向の移動が規制されることで光軸方向に直進移動する。
【００３４】
図６（ａ）に示すように、レンズ鏡筒の沈胴状態においては、第１レンズ保持枠８の当接部８ｄの前側（光軸方向被写体側）に、バリア駆動リング２の当接面２ｂ２が位置している。また、バリア駆動リング２の当接面２ｂ２と第１レンズ保持枠８の当接部８ｄの光軸方向の距離が、第１レンズ９と第１バリア羽根３の光軸方向の距離よりも小さく設定されている。そのため、もしバリア羽根３〜５が動かずに第１レンズが光軸方向に移動することがあっても、第１レンズ９とバリア羽根３〜５に接触するよりも先に、バリア駆動リング２の当接面２ｂ２と第１レンズ保持枠８の当接部８ｄが当接する。これによって、第１レンズ９の光軸方向の移動に制限をかけ、第１レンズ９とバリア羽根３〜５への接触を防いでいる。この構成は図８を用いて後述する。
【００３５】
電源オフの状態では、付勢部材６で付勢されているバリア駆動リング２が、バリア駆動リング２のフォロアアーム２ａと作動壁１０ｃとが当接した状態となり、バリア駆動リング２の回転が規制されている。しかし、電源がオンされ、カム筒１０が回転することで、バリア駆動リング２のフォロアアーム２ａもばねなどの付勢部材６の力により追従して回転する。バリア駆動リング２の回転により、バリア羽根３〜５のすべてが開方向に回転移動する。バリアが開状態となるとバリア駆動リング２の回転が停止され、バリア羽根３〜５が開状態に維持される。
【００３６】
図７において、鏡筒の沈胴状態（バリア閉状態）からバリア開状態への移動区間を第１の区間Ｓ１とする。図７に示すように、第１の区間Ｓ１において、カム溝１０ａ及び１０ｂは略平行に形成される。そのため、第１の区間Ｓ１における第１レンズ保持枠８の光軸方向の移動量Ｘ１とバリア保持枠１の光軸方向の移動量Ｙ１は同一であり、第１レンズ保持枠８とバリア保持枠１の相対位置は同一の状態が保持される。
【００３７】
次に、図６（ｂ）から図６（ｃ）に至る過程、すなわち、バリア羽根の開状態からレンズ鏡筒の繰り出し状態（撮影可能状態）へ至る過程について説明する。
【００３８】
図６（ｂ）に示すバリア羽根の開状態から、カム筒１０が所定量回動することにより、図６（ｃ）に示すように、バリア保持枠１と第１レンズ保持枠８は撮影可能位置まで繰り出される。図７において、バリア羽根３〜５の開位置から撮影可能位置への移動区間を第２の区間Ｓ２とする。第２の区間Ｓ２において、カム溝１０ａの光軸方向の変化量Ｘ２が、カム溝１０ｂの光軸方向の変化量Ｙ２よりも大きく形成されている。これにより、第１レンズ保持枠８はバリア筒１に対し、光軸方向の繰り出し量が多くなり、第１レンズ９がバリア羽根３〜５の駆動軌跡まで侵入する。このような構成を取ることにより、撮影可能状態における第１レンズ９とバリアカバー７の光軸方向の間隔が少なくなるため、光入射開口７ａにより遮蔽されない光線の角度を広くすることが出来る。すなわち、より広角の光学系を実現できるという効果が得られる。
【００３９】
ところで、バリア羽根の開放動作の際にユーザがバリア羽根３〜５を押さえるなどにより、バリア羽根３〜５の閉位置から開位置への移動が妨げられた場合には、第１レンズ保持枠８の繰り出し量によっては、第１レンズ９がバリア羽根３〜５に接触しうる。なぜなら、第１レンズ保持枠８の繰り出し量がバリア保持枠１の繰り出し量よりも多い構成であり、第１レンズ９がバリア開閉領域に侵入するためである。そこで、本実施例では、バリア羽根３〜５の閉位置から開位置への移動が妨げられた場合に、以下に述べるような第１レンズ９がバリア羽根３〜５に接触することを防ぐためのレンズ接触防止機構を採用している。
【００４０】
本発明の実施の形態に係る、第１レンズ保持枠８の当接部８ｄとバリア駆動リング２の当接面２ｂ２で構成されているレンズ接触防止機構について、図８を用いて説明する。
【００４１】
図８は被写体側から見たレンズ接触防止機構の光軸方向から見た断面図である。図８（ａ）はレンズ鏡筒の沈胴状態を示し、図８（ｂ）はレンズ鏡筒の繰り出し状態（撮影可能状態）を示す。ただし、バリア羽根３〜５に外力が加わっていないものとする。
【００４２】
図６（ａ）及び図８（ａ）に示すように、レンズ鏡筒の沈胴状態においては、第１レンズ保持枠８の当接部８ｄの前側（光軸方向被写体側）に、バリア駆動リング２の当接面２ｂ２が位置している。本実施例においては、当接面２ｂ２は周方向に間隔が等しくなるように３箇所配置されている。
【００４３】
一方で、バリア駆動リング２が回転すると、バリア羽根３〜５に外力が加わっていない場合は、バリア羽根３〜５が閉状態から開状態になる。図８（ｂ）に示すように、バリア駆動リング２が回転することで、バリア駆動リング２の当接面２ｂ２の回転位置（光軸周り方向の位置）が変化し、当接面２ｂ２が異物受け溝部８ｃへと収まる。そのため、この状態で第１レンズ保持枠８が直進して繰り出されても、当接部８ｄとの当接面２ｂ２の接触は起こらない。つまり、バリア羽根３〜５が開状態の時、当接部８ｄとの当接面２ｂ２は互いに対向しない位置関係となる。
【００４４】
一方で、外力が加えられるなどにより、バリア羽根３〜５の開閉が出来ない場合には、図８（ａ）の位置からバリア駆動リング２の回転が規制される。つまり、本来ならばバリア駆動リング２の当接面２ｂ２が異物受け溝部８ｃへ収まる位置まで回転するはずが、外力によって回転が妨げられるので、回転が不十分になる。そのため、バリア駆動リング２の当接面２ｂ２の位置が、第１レンズ保持枠８の当接部８ｄの位置と光軸方向から見て重なることになる。よってバリア羽根３〜５が閉状態もしくは開閉できない時、当接部８ｄとの当接面２ｂ２は互いに対向する位置関係となる。
【００４５】
この状態で第１レンズ保持枠８が直進して繰り出されると、第１レンズ９とバリア羽根３が接触するよりも先に、第１レンズ保持枠８の当接部８ｄがバリア駆動リング２の当接面２ｂ２に接触する。つまり、バリア駆動リング２の当接面２ｂ２がストッパとなって、直進しようとする第１レンズ保持枠８の当接部８ｄに接触し、第１レンズ保持枠８の直進を妨げる。
【００４６】
これによって、第１レンズ保持枠８の直進が妨げられ、第１レンズ９とバリア羽根３〜５の接触を防ぐことができる。バリア駆動リング２の当接面２ｂ２と第１レンズ保持枠８の当接部８ｄの光軸方向の距離が、第１レンズ９と第１バリア羽根３の光軸方向の距離よりも小さく設定されているため、この効果を得られる。
【００４７】
また、第１レンズ９とバリア羽根３〜５の接触をより高い精度で防ぐために、当接部８ｄは第１レンズ９から近い位置（第１レンズ９の外側周辺部）に形成される。また、当接部８ｄは、フォロアアーム２ａが貫通する貫通部としての円弧孔８ｂよりも光軸に近い側に（鏡筒の径方向中心側に）複数形成している。
【００４８】
これによって、当接面２ｂ２が第１レンズ９の光軸中心からの距離が遠い位置で当接部８ｄに接触するときよりも、駆動力がかかることによる部材の撓みなどの影響で第１レンズ９とバリア羽根３〜５が接触してしまう事態を高い確率で回避することができる。
【００４９】
本実施例では、当接部（当接面２ｂ２、当接部８ｄ）が周方向に間隔が等しくなるように３箇所形成されているため、高い精度で当接を実現することができる。また、当接部８ｄは第１レンズ９から近い位置（第１レンズ９の外周部）にあって、第１レンズ９から近い位置で接触防止機構が作用するため、撓みなどの影響でレンズとバリアが接触することも起こりにくい。よって、高い精度で接触防止が実現できる。
【００５０】
本実施例では、上述したように、第１レンズ９に隣接する異物受け溝部８ｃに形成された当接部８ｄと、バリア駆動リング２の当接面２ｂ２により、第１レンズ９の第１バリア羽根３への接触防止を行っている。第１レンズ９から非常に近い位置において、接触防止機構が作用するため、高い精度で接触防止が実現できる。また、円弧孔１ａ、８ｂをあけることによるバリア保持枠１及び第１レンズ保持枠８の強度低下を最小限に抑えることができる。
【００５１】
以上、本発明の好ましい実施形態について説明したが、本発明はこれらの実施形態に限定されず、その要旨の範囲内で種々の変形及び変更が可能である。
【符号の説明】
【００５２】
２  バリア駆動リング
２ａ  フォロアアーム
２ｂ  延出部
８  第１レンズ保持枠
８ｃ  異物受け溝
８ｄ  当接部
【図１】
2014059364.tif 000003
【図２】
2014059364.tif 000004
【図３】
2014059364.tif 000005
【図４】
2014059364.tif 000006
【図５】
2014059364.tif 000007
【図６】
2014059364.tif 000008
【図７】
2014059364.tif 000009
【図８】
2014059364.tif 000010